(57)【要約】【課題】  積層半導体パッケージに適した半導体パッケージ用貫通電極、及び前記貫通電極を有する半導体パッケージを提供する。【解決手段】  半導体パッケージ用貫通電極は、半導体チップを貫通して、内部にリセス部が形成された第１の電極、及び前記リセス部内に配置された第２の電極を含む。半導体パッケージは、回路部を有する半導体チップ本体及び前記回路部と連結されたボンディングパッドを有する半導体チップ、並びに、前記ボンディングパッド及び前記ボンディングパッドと対応する前記半導体チップ本体を貫通し、内部にリセス部を有する第１の電極、及び前記リセス部の内部に配置された第２の電極を有する貫通電極を含む。【選択図】      図１
2009049349.tif 000002
【特許請求の範囲】
【請求項１】
半導体チップを貫通して、内部にリセス部が形成された第１の電極、及び
前記リセス部内に配置された第２の電極を含むことを特徴とする半導体パッケージ用貫通電極。
【請求項２】
前記第１の電極は、第１の硬度を有する第１の金属を含み、前記第２の電極は前記第１の硬度よりも低い第２の硬度を有する第２の金属を含むことを特徴とする請求項１に記載の半導体パッケージ用貫通電極。
【請求項３】
前記第１の電極は、第１の溶融点を有する第１の金属を含み、前記第２の電極は前記第１の溶融点よりも低い第２の溶融点を有する第２の金属を含むことを特徴とする請求項１に記載の半導体パッケージ用貫通電極。
【請求項４】
前記第１の電極は、銅、アルミニウム、アルミニウム合金及び金属合金から成る群から選択される何れか一つを含むことを特徴とする請求項１に記載の半導体パッケージ用貫通電極。
【請求項５】
前記第２の電極は、鉛を含むソルダであることを特徴とする請求項１に記載の半導体パッケージ用貫通電極。
【請求項６】
前記第１の電極の長さは、前記半導体チップの厚さよりも長いことを特徴とする請求項１に記載の半導体パッケージ用貫通電極。
【請求項７】
前記第１の電極は、一側端部が閉じたパイプ状を有することを特徴とする請求項１に記載の半導体パッケージ用貫通電極。
【請求項８】
前記第１の電極は、前記一側端部に対向する他側端部に、拡張された第１の拡張部を有し、前記第２の電極は、前記第１の拡張部と対応して拡張された第２の拡張部を有することを特徴とする請求項１に記載の半導体パッケージ用貫通電極。
【請求項９】
前記第１の電極の外側面にはシード金属層が形成されることを特徴とする請求項１に記載の半導体パッケージ用貫通電極。
【請求項１０】
回路部を有する半導体チップ本体及び前記回路部と連結されたボンディングパッドを有する半導体チップ、並びに
前記ボンディングパッド及び前記ボンディングパッドと対応する前記半導体チップ本体を貫通し、内部にリセス部を有する第１の電極、及び前記リセス部の内部に配置された第２の電極を有する貫通電極を含むことを特徴とする半導体パッケージ。
【請求項１１】
前記第１の電極は、第１の硬度を有する第１の金属を含み、前記第２の電極は、前記第１の硬度よりも低い第２の硬度を有する第２の金属を含むことを特徴とする請求項１０に記載の半導体パッケージ。
【請求項１２】
前記第１の電極は、第１の溶融点を有する第１の金属を含み、前記第２の電極は、前記第１の溶融点よりも低い第２の溶融点を有する第２の金属を含むことを特徴とする請求項１０に記載の半導体パッケージ。
【請求項１３】
前記第１の電極は、銅、アルミニウム、アルミニウム合金及び金属合金から成る群から選択される何れか一つを含み、前記第２の電極は、鉛を含むソルダであることを特徴とする請求項１０に記載の半導体パッケージ。
【請求項１４】
前記第１の電極の長さは、前記半導体チップ本体の厚さよりも長いことを特徴とする請求項１０に記載の半導体パッケージ。
【請求項１５】
前記第１の電極は、前記ボンディングパッドと電気的に接続され、端部が開口されたパイプ状を有することを特徴とする請求項１０に記載の半導体パッケージ。
【請求項１６】
前記第１の電極の前記端部は、拡張された第１の拡張部を有し、前記第２の電極は、前記第１の拡張部と対応して拡張された第２の拡張部を有することを特徴とする請求項１５に記載の半導体パッケージ。
【請求項１７】
前記ボンディングパッドは、前記半導体チップ本体の上面の中央部に配置されることを特徴とする請求項１０に記載の半導体パッケージ。
【請求項１８】
前記ボンディングパッドは、前記半導体チップ本体の上面のエッジに配置されることを特徴とする請求項１０に記載の半導体パッケージ。
【請求項１９】
前記半導体チップは、前記半導体チップ本体上に配置されて前記ボンディングパッド、前記第１の電極及び前記第２の電極を覆う絶縁膜を含むことを特徴とする請求項１０に記載の半導体パッケージ。
【請求項２０】
前記絶縁膜は、前記第２の電極を露出する開口を含むことを特徴とする請求項１９に記載の半導体パッケージ。
【請求項２１】
前記半導体チップ本体は、前記回路部をリペアするためのヒューズ、及び前記ヒューズを覆って絶縁するヒューズ絶縁部材を含むことを特徴とする請求項１０に記載の半導体パッケージ。
【請求項２２】
前記貫通電極と接続される接続パッド、前記接続パッド上に配置されたソルダ層を有する基板、及び前記基板と前記半導体チップ本体の間に介在するアンダーフィル部材を更に含むことを特徴とする請求項１０に記載の半導体パッケージ。
【請求項２３】
前記基板及び前記半導体チップ本体の間には、前記半導体チップ本体を安定的にサポートするためのダミーチップサポート部材が介在することを特徴とする請求項２２に記載の半導体パッケージ。
【請求項２４】
前記ダミーチップサポート部材は、ダミーソルダボール、ダミーバンプ及び閉ループ状を有するダミーサポート部材のうち何れか一つであることを特徴とする請求項２３に記載の半導体パッケージ。
【請求項２５】
回路部を有する半導体チップ本体、及び前記回路部と連結され、前記半導体チップ本体の中央に配置されたボンディングパッドを有する半導体チップ、
前記半導体チップ本体のエッジを貫通し、内部にリセス部を有する第１の電極、及び前記リセス部の内部に配置された第２の電極を有する貫通電極、並びに
前記ボンディングパッド及び前記貫通電極を電気的に連結する再配線を含むことを特徴とする半導体パッケージ。
【請求項２６】
前記再配線は、前記第２の電極を露出する開口を有することを特徴とする請求項２５に記載の半導体パッケージ。
【請求項２７】
前記第１の電極は、第１の硬度を有する第１の金属を含み、前記第２の電極は、前記第１の硬度よりも低い第２の硬度を有する第２の金属を含むことを特徴とする請求項２５に記載の半導体パッケージ。
【請求項２８】
前記第１の電極は、第１の溶融点を有する第１の金属を含み、前記第２の電極は、前記第１の溶融点よりも低い第２の溶融点を有する第２の金属を含むことを特徴とする請求項２５に記載の半導体パッケージ。
【請求項２９】
前記第１の電極は、銅、アルミニウム、アルミニウム合金及び金属合金から成る群から選択される何れか一つを含み、前記第２の電極は、鉛を含むソルダであることを特徴とする請求項２５に記載の半導体パッケージ。
【請求項３０】
前記第１の電極の長さは、前記半導体チップ本体の厚さよりも長いことを特徴とする請求項２５に記載の半導体パッケージ。
【請求項３１】
前記第１の電極は、前記半導体チップ本体の表面部分で拡張された第１の拡張部を有し、前記第２の電極は、前記第１の拡張部と対応して拡張された第２の拡張部を有することを特徴とする請求項２５に記載の半導体パッケージ。
【請求項３２】
前記半導体チップは、前記半導体チップ本体上に配置されて、前記ボンディングパッド、前記第１の電極及び前記第２の電極を覆う絶縁膜を含むことを特徴とする請求項２５に記載の半導体パッケージ。
【請求項３３】
前記絶縁膜は、前記第２の電極を露出する開口を有することを特徴とする請求項３２に記載の半導体パッケージ。
【請求項３４】
前記再配線はシード金属パターンを含むことを特徴とする請求項２５に記載の半導体パッケージ。
【請求項３５】
前記再配線及び前記ボンディングパッドの間には、前記第１の電極と同一の物質を含む連結パターンが配置されることを特徴とする請求項２５に記載の半導体パッケージ。
【請求項３６】
前記半導体チップ本体は、前記回路部をリペアするためのヒューズ、及び前記ヒューズを覆うヒューズ絶縁パターンを含むことを特徴とする請求項２５に記載の半導体パッケージ。
【請求項３７】
前記貫通電極と接続される接続パッド、前記接続パッド上に配置されたソルダ層を有する基板、及び前記基板と前記半導体チップ本体との間に介在するアンダーフィル部材を更に含むことを特徴とする請求項２５に記載の半導体パッケージ。
【請求項３８】
前記基板及び前記半導体チップ本体の間には、前記半導体チップ本体を安定的にサポートするためのダミーチップサポート部材が介在することを特徴とする請求項３７に記載の半導体パッケージ。
【請求項３９】
前記ダミーチップサポート部材は、ダミーソルダボール、ダミーバンプ及び閉ループ状を有するダミーサポート部材のうち何れか一つであることを特徴とする請求項３８に記載の半導体パッケージ。
【発明の詳細な説明】
【技術分野】
【０００１】
本発明は、半導体パッケージ用貫通電極及びこれを有する半導体パッケージ に関するものである。
【背景技術】
【０００２】
一般に、半導体パッケージは半導体チップ製造工程、電気的検査工程及びパッケージ工程によって製造される。半導体チップ製造工程はトランジスタ、抵抗、キャパシタなどのような素子をウェハー上に形成する。電気的検査工程は半導体チップを電気的に検査して、良品半導体チップ及び不良半導体チップを区分する。パッケージ工程は脆弱な半導体チップを外部から加えられた衝撃及び／又は振動から保護する。
【０００３】
半導体素子を含む半導体パッケージはパソコン、テレビジョン受信機、家電製品、情報通信機器などに適用されている。
【０００４】
最近、半導体パッケージの技術開発に伴って、半導体チップサイズの１００〜１０５％に過ぎないサイズを有する“チップスケールパッケージ”が開発されている。これに加えて、最近は複数の半導体チップ及び／又は半導体パッケージを積層して、データ貯蔵容量及びデータ処理速度を向上させた“積層半導体パッケージ”が開発されている。
【０００５】
最近開発された積層半導体パッケージは、半導体チップに貫通電極を形成し、貫通電極を有する複数の半導体チップを積層して製造される。
【０００６】
積層半導体パッケージを製造するために半導体チップに形成される貫通電極は一般に銅のような高融点金属が使用される。
【０００７】
従って、高融点金属から成る貫通電極を有する半導体チップを電気的に連結するために、隣接した半導体チップに形成された貫通電極をソルダのような低融点金属で連結できる。
【０００８】
しかしながら、積層半導体パッケージでは、隣接した半導体チップにそれぞれ形成された貫通電極を電気的に連結するソルダによって、積層された半導体チップの間にギャップが形成される。積層半導体パッケージに形成されたギャップは、積層半導体パッケージの信頼性を大きく減少させる。
【０００９】
積層半導体パッケージの信頼性が低下することを防止するために、半導体チップの間にアンダーフィル物質を注入できる。しかしながら、従来積層半導体パッケージは、半導体チップの間の狭いギャップにアンダーフィル物質を注入しにくいという問題点を有する。
【００１０】
上記のような問題点を克服するために、隣接した半導体チップの貫通電極を直接電気的に連結できるが、隣接した半導体チップの貫通電極を直接電気的に連結するためには、貫通電極を高温、高圧でボンディングしなければならないという問題点がある。
【発明の開示】
【発明が解決しようとする課題】
【００１１】
上記のような従来技術の問題点を解決するために、本発明は、積層半導体パッケージに適した半導体パッケージ用貫通電極を提供することを目的とする。
【００１２】
また、本発明は、前記貫通電極を有する半導体パッケージを提供することを目的とする。
【課題を解決するための手段】
【００１３】
上記の目的を達成するために、一実施形態では、本発明による半導体パッケージ用貫通電極は、半導体チップを貫通して、内部にリセス部が形成された第１の電極及び前記リセス部内に配置された第２の電極を含む。
【００１４】
半導体パッケージ用貫通電極の前記第１の電極は、第１の硬度を有する第１の金属を含み、前記第２の電極は前記第１の硬度よりも低い第２の硬度を有する第２の金属を含む。
【００１５】
半導体パッケージ用貫通電極の前記第１の電極は、第１の溶融点を有する第１の金属を含み、前記第２の電極は前記第１の溶融点よりも低い第２の溶融点を有する第２の金属を含む。
【００１６】
半導体パッケージ用貫通電極の前記第１の電極は銅、アルミニウム、アルミニウム合金及び金属合金から成る群から選択される何れか一つを含む。
半導体パッケージ用貫通電極の前記第２の電極は、鉛を含むソルダである。
【００１７】
半導体パッケージ用貫通電極の前記第１の電極の長さは、前記半導体チップの厚さよりも長く形成される。
【００１８】
半導体パッケージ用貫通電極の前記第１の電極は、一側端部が閉じたパイプ状を有する。
【００１９】
半導体パッケージ用貫通電極の前記第１の電極の一側端部に対向する他側端部は、拡張された第１の拡張部を有し、前記第２の電極は、前記第１の拡張部と対応して拡張された第２の拡張部を有する。
【００２０】
本発明による半導体パッケージは、回路部を有する半導体チップ本体及び前記回路部と連結されたボンディングパッドを有する半導体チップ、並びに、前記ボンディングパッド及び前記ボンディングパッドと対応する前記半導体チップ本体を貫通し、内部にリセス部を有する第１の電極、及び前記リセス部の内部に配置された第２の電極を有する貫通電極を含む。
【００２１】
半導体パッケージの前記第１の電極は、第１の硬度を有する第１の金属を含み、前記第２の電極は前記第１の硬度よりも低い第２の硬度を有する第２の金属を含む。
【００２２】
半導体パッケージの前記第１の電極は、第１の溶融点を有する第１の金属を含み、前記第２の電極は前記第１の溶融点よりも低い第２の溶融点を有する第２の金属を含む。
【００２３】
半導体パッケージの前記第１の電極は銅、アルミニウム、アルミニウム合金及び金属合金から成る群から選択される何れか一つを含み、前記第２の電極は鉛を含むソルダである。
【００２４】
半導体パッケージの前記第１の電極の長さは、前記半導体チップ本体の厚さよりも長く形成される。
【００２５】
半導体パッケージの前記第１の電極は、前記ボンディングパッドと電気的に接続され、端部が開口されたパイプ状を有する。
【００２６】
半導体パッケージの前記第１の電極の前記端部は、拡張された第１の拡張部を有し、前記第２の電極は、前記第１の拡張部と対応して拡張された第２の拡張部を有する。
【００２７】
半導体パッケージの前記ボンディングパッドは、前記半導体チップ本体の上面の中央部に配置される。
【００２８】
半導体パッケージの前記ボンディングパッドは、前記半導体チップ本体の上面のエッジに配置される。
【００２９】
半導体パッケージの前記半導体チップは、前記半導体チップ本体上に配置されて前記ボンディングパッド、前記第１の電極及び前記第２の電極を覆う絶縁膜を含む。
半導体パッケージの前記絶縁膜は、前記第２の電極を露出する開口を含む。
【００３０】
半導体パッケージの前記半導体チップ本体は、前記回路部をリペアするためのヒューズ、及び前記ヒューズを覆って絶縁するヒューズ絶縁部材を含む。
【００３１】
半導体パッケージは、前記貫通電極と接続される接続パッド、前記接続パッド上に配置されたソルダ層を有する基板、及び前記基板と前記半導体チップ本体との間に介在するアンダーフィル部材を更に含む。
【００３２】
本発明による半導体パッケージは、回路部を有する半導体チップ本体、及び前記回路部と連結され、前記半導体チップ本体の中央に配置されたボンディングパッドを有する半導体チップ、前記半導体チップ本体のエッジを貫通し、内部にリセス部を有する第１の電極、及び前記リセス部の内部に配置された第２の電極を有する貫通電極、並びに、前記ボンディングパッド及び前記貫通電極を電気的に連結し、前記第２の電極を露出する開口を有する。
【００３３】
半導体パッケージの前記第１の電極は、第１の硬度を有する第１の金属を含み、前記第２の電極は前記第１の硬度よりも低い第２の硬度を有する第２の金属を含む。
【００３４】
半導体パッケージの前記第１の電極は、第１の溶融点を有する第１の金属を含み、前記第２の電極は前記第１の溶融点よりも低い第２の溶融点を有する第２の金属を含む。
【００３５】
半導体パッケージの前記第１の電極は銅、アルミニウム、アルミニウム合金及び金属合金から成る群から選択される何れか一つを含み、前記第２の電極は鉛を含むソルダである。
【００３６】
半導体パッケージの前記第１の電極の長さは、前記半導体チップ本体の厚さよりも長く形成される。
【００３７】
半導体パッケージの前記第１の電極は、前記半導体チップ本体の表面部分で拡張された第１の拡張部を有し、前記第２の電極は、前記第１の拡張部と対応して拡張された第２の拡張部を有する。
【００３８】
半導体パッケージの前記半導体チップは、前記半導体チップ本体上に配置されて、前記ボンディングパッド、前記第１の電極及び前記第２の電極を覆う絶縁膜を含む。
【００３９】
半導体パッケージの前記絶縁膜は、前記第２の電極を露出する開口を有する。
半導体パッケージの再配線はシード金属パターンを更に含む。
【００４０】
半導体パッケージの前記再配線及び前記ボンディングパッドの間には、前記第１の電極と同一の物質を含む連結パターンが配置される。
【００４１】
半導体パッケージの前記半導体チップ本体は、前記回路部をリペアするためのヒューズ、及び前記ヒューズを覆うヒューズ絶縁パターンを含む。
【００４２】
半導体パッケージは、前記貫通電極と接続される接続パッド、前記接続パッド上に配置されたソルダ層を有する基板、及び前記基板と前記半導体チップ本体との間に介在するアンダーフィル部材を更に含む。
【発明の効果】
【００４３】
本発明によれば、半導体チップ本体を貫通する貫通電極を、第１の硬度及び／又は第１の溶融点を有する第１の金属、及び第１の硬度及び／又は第１の溶融点よりも低い第２の硬度及び／又は第２の溶融点を有する第２の金属で形成して、複数の半導体パッケージを容易に積層することができる。
【発明を実施するための最良の形態】
【００４４】
以下、添付した図面を参照して本発明の好ましい実施形態を詳細に説明する。
図１は、本発明の一実施形態による半導体パッケージ用貫通電極を示した断面図である。
【００４５】
図１に示した半導体パッケージ用貫通電極は、複数のウェハーレベル半導体パッケージを積層することに適する。
【００４６】
図１を参照すれば、半導体チップ１は、例えば直六面体状を有する。半導体チップ１は第１の面２、第１の面２に対向する第２の面３を有する。
【００４７】
貫通電極１０は半導体チップ１を貫通する。貫通電極１０は、例えば半導体チップ１の第１の面２について垂直な方向に貫通する。貫通電極１０の長さは半導体チップ１の厚さよりも長く、この結果、貫通電極１０の端部は半導体チップ１から突出する。
【００４８】
本実施形態で、貫通電極１０の第１の端部（１０ａ）は、半導体チップ１の第１の面２と実質的に同一の平面上に配置され、貫通電極１０の第１の端部（１０ａ）に対向する第２の端部（１０ｂ）は、半導体チップ１の第２の面３から突出する。
【００４９】
貫通電極１０は、第１の電極１１及び第２の電極１４を含む。すなわち、貫通電極１０は二重電極構造を有する。
【００５０】
貫通電極１０の第１の電極１１は、内部にリセス部１２を有する。リセス部１２を有する第１の電極１１は、例えば一側端部が閉じたパイプ状を有する。第１の電極１１の長さは半導体チップ１の厚さよりも長く、この結果、第１の電極１１は半導体チップ１の第２の面３から突出する。
【００５１】
貫通電極１０の第２の電極１４は、第１の電極１１のリセス部１２内に配置される。例えば、第２の電極１４は第１の電極１１のリセス部１２に充填される。
【００５２】
第１の電極１１は、例えば第１の硬度を有する第１の金属を含むことができ、第２の電極１４は、第１の電極１１の第１の硬度よりも相対的に低い第２の硬度を有する第２の金属を含むことができる。
【００５３】
これとは違って、第１の電極１１は、例えば第１の溶融点を有する第１の金属を含むことができ、第２の電極１４は、第１の電極１１の第１の溶融点よりも相対的に低い第２の溶融点を有する第２の金属を含むことができる。
【００５４】
第１の硬度及び／又は第１の溶融点を有する第１の電極１１として使用できる物質の例としては、銅、アルミニウム、アルミニウム合金及び金属合金などを挙げることができる。第２の硬度及び／又は第２の溶融点を有する第２の電極１１として使用できる物質の例としては、鉛を含むソルダなどを挙げることができる。
【００５５】
一方、第１の電極１１の開口された第１の端部（１０ａ）は、リセス部１２の嵩を増加させるための第１の拡張部（１１ａ）を有し、第２の電極１４は、第１の拡張部（１１ａ）に対応して面積が増加する第２の拡張部（１４ａ）を有する。
【００５６】
図２は、図１に示した貫通電極を有する半導体パッケージを示す平面図である。図３は図２のＩ−Ｉ´線に沿って切断した断面図である。
【００５７】
図２及び図３を参照すれば、半導体パッケージ１００は半導体チップ１１０及び貫通電極１２０を含む。
【００５８】
半導体チップ１１０は、半導体チップ本体１１２及びボンディングパッド１１４を含む。これに加えて、半導体チップ１１０は、ボンディングパッド１１４を露出する開口を有する保護膜１１５を含むことができる。
【００５９】
半導体チップ本体１１２は、例えば直六面体状を有する。半導体チップ本体１１２は、第１の面（１１２ａ）及び第１の面（１１２ａ）に対向する第２の面（１１２ｂ）を有する。
【００６０】
半導体チップ本体１１２は、例えば少なくとも一つの回路部１１１を含む。各回路部１１１は、例えばデータを貯蔵するためのデータ貯蔵部（図示せず）、及びデータを処理するデータ処理部（図示せず）を含む。本実施形態では、回路部１１１は、例えば半導体チップ本体１１２に４個がマトリックス形態に配置される。
【００６１】
ボンディングパッド１１４は、半導体チップ本体１１２の第１の面（１１２ａ）上に配置される。本実施形態では、複数のボンディングパッド１１４は第１の面（１１２ａ）の中央部に配置される。
【００６２】
ボンディングパッド１１４は、半導体チップ本体１１２の回路部１１１のデータ貯蔵部及び／又はデータ処理部と電気的に接続される。
【００６３】
貫通電極１２０は、ボンディングパッド１１４、及びボンディングパッド１１４と対応する半導体チップ本体１１２を貫通する。貫通電極１２０の一部はボンディングパッド１１４と電気的に連結され、貫通電極１２０の一側端部は半導体チップ本体１１２の第２の面（１１２ｂ）から所定高さで突出する。
【００６４】
貫通電極１２０は、第１の電極１２２及び第２の電極１２４を含む。これに加えて、貫通電極１２０は、第１の電極１２２の表面を覆うシード金属層（図示せず）を含むことができる。シード金属層は、第１の電極１２２を鍍金方法で形成するために、第１の電極１２２の表面に選択的に形成される。
【００６５】
貫通電極１２０の第１の電極１２２は、ボンディングパッド１１４及び半導体チップ本体１１２を貫通する。
【００６６】
第１の電極１２２は、第２の電極１２４を収納するためのリセス部１２１を有し、リセス部１２１を有する第１の電極１２２は、例えば一側端部が閉じ、一側端部に対向する他側端部が開口されたパイプ状を有する。貫通電極１２０の第１の電極１２２の一部は、ボンディングパッド１１４と電気的に接続される。第１の電極１２２の一部は、保護膜パターン１１５によって露出されたボンディングパッド１１４の上面を覆う。
【００６７】
第２の電極１２４は、第１の電極１２２のリセス部１２１内に配置される。
第１の電極１２２は、例えば第１の硬度を有する第１の金属を含むことができ、第２の電極１２４は、第１の電極１２２の第１の硬度よりも相対的に低い第２の硬度を有する第２の金属を含むことができる。第１の硬度を有する第１の電極１２２として使用できる物質の例としては、銅、アルミニウム、アルミニウム合金及び金属合金などを挙げることができる。第２の電極１２４として使用できる物質の例としては、鉛を含むソルダなどを挙げることができる。
【００６８】
これとは違って、第１の電極１２２は、例えば第１の溶融点を有する第１の金属を含むことができ、第２の電極１２４は、第１の電極１２２の第１の溶融点よりも相対的に低い第２の溶融点を有する第２の金属を含むことができる。第１の溶融点を有する第１の電極１２２として使用できる物質の例としては、銅、アルミニウム、アルミニウム合金及び金属合金などを挙げることができる。第２の電極１２４として使用できる物質の例としては、鉛を含むソルダなどを挙げることができる。
【００６９】
一方、第１の電極１２２の入口は第１の拡張部（１２２ａ）を有し、第２の電極１２４は、第１の拡張部（１２２ａ）に対応して面積が増加する第２の拡張部（１２４ａ）を有する。
【００７０】
図４は、本発明の一実施形態による半導体パッケージを示した平面図である。図５は図４のＩＩ−ＩＩ´線に沿って切断した断面図である。
【００７１】
図４及び図５を参照すれば、半導体パッケージ１００は半導体チップ１１０及び貫通電極１２０を含む。
【００７２】
半導体チップ１１０は、半導体チップ本体１１２及びボンディングパッド１１６を含む。これに加えて、半導体チップ１１０は、ボンディングパッド１１６を露出する開口を有する保護膜１１５を含むことができる。
【００７３】
半導体チップ本体１１２は、データを貯蔵するためのデータ貯蔵部（図示せず）、及びデータを処理するデータ処理部（図示せず）を有する少なくとも一つの回路部１１１を含む。本実施形態では、回路部１１１は、半導体チップ本体１１２に４個が２×２行列形態で配置される。
【００７４】
回路部１１１を有する半導体チップ本体１１２は、例えば直六面体状を有する。
半導体チップ本体１１２は、第１の面（１１２ａ）及び第１の面（１１２ａ）に対向する第２の面（１１２ｂ）を有する。
【００７５】
ボンディングパッド１１６は、例えば半導体チップ本体１１２の第１の面（１１２ａ）上に配置される。本実施形態では、複数のボンディングパッド１１６は回路部１１１の外側に配置される。
【００７６】
ボンディングパッド１１６は、半導体チップ本体１１２のデータ貯蔵部及び／又はデータ処理部と電気的に接続される。
【００７７】
貫通電極１２０は、半導体チップ本体１１２のエッジに沿って配置された各ボンディングパッド１１６、及び各ボンディングパッド１１６と対応する半導体チップ本体１１２を貫通する。ボンディングパッド１１６及び半導体チップ本体１１２を貫通する貫通電極１２０は、ボンディングパッド１１６と直接電気的に連結され、貫通電極１２０の端部は半導体チップ本体１１２の第２の面（１１２ｂ）から突出する。
【００７８】
貫通電極１２０は二重電極構造を有する。二重電極構造を有する貫通電極１２０は、例えばカップ状を有する第１の電極１２２、及び第１の電極１２２の内部に収納された第２の電極１２４を含む。
【００７９】
ボンディングパッド１１６及び半導体チップ本体１１２を貫通する第１の電極１２２は、リセス部１２１を有し、リセス部１２１を有する第１の電極１２２は、例えばカップ状を有する。カップ状を有する第１の電極１２２の一部はボンディングパッド１１６と電気的に直接接続される。
第２の電極１２４は、第１の電極１２２のリセス部１２１内に配置される。
【００８０】
第１の電極１２２は、例えば第１の硬度を有する第１の金属を含むことができ、第２の電極１２４は、第１の電極１２２の第１の硬度よりも相対的に低い第２の硬度を有する第２の金属を含むことができる。第１の硬度を有する第１の電極１２２として使用できる物質の例としては、銅、アルミニウム、アルミニウム合金及び金属合金などを挙げることができる。第１の硬度よりも低い第２の硬度を有する第２の電極１２４として使用できる物質の例としては鉛を含むソルダなどを挙げることができる。
【００８１】
これとは違って、第１の電極１２２は、例えば第１の溶融点を有する第１の金属を含むことができ、第２の電極１２４は、第１の電極１２２の第１の溶融点よりも相対的に低い第２の溶融点を有する第２の金属を含むことができる。第１の溶融点を有する第１の電極１２２として使用できる物質の例としては、銅、アルミニウム、アルミニウム合金及び金属合金などを挙げることができる。第１の溶融点よりも低い第２の溶融点を有する第２の電極１２４として使用できる物質の例としては、鉛を含むソルダなどを挙げることができる。
【００８２】
一方、第１の電極１２２の開口された端部は、リセス部１２１の嵩を拡張するための第１の拡張部（１２２ａ）を有し、第２の電極１２４は、第１の拡張部（１２２ａ）に対応して面積が増加する第２の拡張部（１２４ａ）を有する。
【００８３】
図６は、本発明の一実施形態による半導体パッケージを示す平面図である。図７は、図２のＩＩＩ−ＩＩＩ´線に沿って切断した断面図である。図８は、図７の‘Ａ’部分拡大図である。
【００８４】
図６〜図８を参照すれば、半導体パッケージ１００は半導体チップ１１０及び貫通電極１２０を含む。
【００８５】
半導体チップ１１０は、半導体チップ本体１１２、ボンディングパッド１１４、ヒューズ１１７及びヒューズ絶縁部材１１８を含む。これに加えて、半導体チップ１１０は、ボンディングパッド１１４を露出する開口を有する保護膜１１５を含むことができる。
【００８６】
半導体チップ本体１１２は、例えば直六面体状を有する。半導体チップ本体１１２は、第１の面（１１２ａ）及び第１の面（１１２ａ）に対向する第２の面（１１２ｂ）を有する。
【００８７】
半導体チップ本体１１２は回路部１１１を含む。回路部１１１は、例えばデータを貯蔵するためのデータ貯蔵部（図示せず）、及びデータを処理するデータ処理部（図示せず）を含む。本実施形態では、回路部１１１は、例えば４個から成り、回路部１１１は２×２行列状に半導体チップ本体１１２上に配置される。
【００８８】
ボンディングパッド１１４は、例えば半導体チップ本体１１２の第１の面（１１２ａ）上に配置される。本実施形態では、複数のボンディングパッド１１４は隣接した一対の回路部１１１の間に配置される。
【００８９】
ボンディングパッド１１４は、半導体チップ本体１１２の回路部１１１のデータ貯蔵部及び／又はデータ処理部と電気的に接続される。
【００９０】
ヒューズ１１７は、ボンディングパッド１１４及び回路部１１１の間に配置される。複数のヒューズ１１７は回路部１１１をリペアする。ヒューズ絶縁部材１１８はヒューズ１１７を絶縁する。ヒューズ絶縁部材１１８は、例えば有機物を含むことができる。ヒューズ絶縁部材１１８は、ヒューズ１１７と対応する所に選択的に形成できる。ヒューズ絶縁部材１１８の上面は、例えば保護膜パターン１１５と実質的に同一の平面上に配置できる。
【００９１】
貫通電極１２０は、半導体チップ１１０のボンディングパッド１１４、及びボンディングパッド１１４と対応する半導体チップ本体１１２を貫通する。貫通電極１２０はボンディングパッド１１４と直接電気的に連結され、貫通電極１２０の端部は、半導体チップ本体１１２の第２の面（１１２ｂ）から突出する。
【００９２】
貫通電極１２０は、第１の電極１２２及び第２の電極１２４を含む。
貫通電極１２０の第１の電極１２２は、ボンディングパッド１１４及び半導体チップ本体１１２を貫通する。第１の電極１２２はリセス部１２１を有し、リセス部１２１を有する第１の電極１２２は、例えばパイプ状を有する。第１の電極１２２の一部は、ボンディングパッド１１４と電気的に直接接続される。第１の電極１２２の一部は、保護膜パターン１１５によって露出されたボンディングパッド１１４を覆う。
【００９３】
第２の電極１２４は、第１の電極１２２のリセス部１２１内に配置される。
本実施形態では、露出された第１の電極１２２及び第２の電極１２４の端部は、例えば保護膜パターン１１５と実質的に同一の平面上に配置され、第１の電極１２２は、保護膜パターン１１５によって露出されたボンディングパッド１１４の上面を覆う。
【００９４】
第１の電極１２２は、例えば第１の硬度を有する第１の金属を含むことができ、第２の電極１２４は、第１の電極１２２の第１の硬度よりも相対的に低い第２の硬度を有する第２の金属を含むことができる。第１の電極１２２として使用できる物質の例としては、銅、アルミニウム、アルミニウム合金及び金属合金などを挙げることができる。第２の電極１２４として使用できる物質の例としては、鉛を含むソルダなどを挙げることができる。
【００９５】
これとは違って、第１の電極１２２は、例えば第１の溶融点を有する第１の金属を含むことができ、第２の電極１２４は、第１の電極１２２の第１の溶融点よりも相対的に低い第２の溶融点を有する第２の金属を含むことができる。第１の電極１２２として使用できる物質の例としては、銅、アルミニウム、アルミニウム合金及び金属合金などを挙げることができる。第２の電極１２４として使用できる物質の例としては、鉛を含むソルダなどを挙げることができる。
【００９６】
一方、第１の電極１２２の開口された端部は、リセス部１２１の嵩を拡張するための第１の拡張部（１２２ａ）を有し、第２の電極１２４は、第１の拡張部（１２２ａ）に対応して面積が増加する第２の拡張部（１２４ａ）を有する。
【００９７】
図９は、本発明の一実施形態による半導体パッケージを示す断面図である。
図９に示した半導体パッケージは、特に、少なくとも２個の半導体パッケージを積層して積層半導体パッケージを製造することに適する。
【００９８】
図９を参照すれば、半導体パッケージ１００は半導体チップ１１０、貫通電極１２０及び絶縁膜１３０を含む。
【００９９】
半導体チップ１１０は半導体チップ本体１１２、ボンディングパッド１１４を含む。これに加えて、半導体チップ１１０は、ボンディングパッド１１４を露出する開口を有する保護膜パターン１１５を含むことができる。
【０１００】
半導体チップ本体１１２は、データ貯蔵部及びデータ処理部を有する回路部１１１を含む。
【０１０１】
回路部１１１を有する半導体チップ本体１１２は、例えば直六面体状を有する。
半導体チップ本体１１２は、第１の面（１１２ａ）及び第１の面（１１２ａ）に対向する第２の面（１１２ｂ）を有する。
【０１０２】
ボンディングパッド１１４は、例えば半導体チップ本体１１２の第１の面（１１２ａ）上に配置される。本実施形態では、複数のボンディングパッド１１４は隣接した一対の回路部１１１の間に配置される。
【０１０３】
ボンディングパッド１１４は、半導体チップ本体１１２の回路部１１１のデータ貯蔵部及び／又はデータ処理部と電気的に接続される。
【０１０４】
貫通電極１２０は、半導体チップ１１０のボンディングパッド１１４、及びボンディングパッド１１４と対応する半導体チップ本体１１２を貫通する。ボンディングパッド１１４及び半導体チップ本体１１２を貫通する貫通電極１２０は、ボンディングパッド１１４と直接電気的に連結され、貫通電極１２０の端部は、半導体チップ本体１１２の第２の面（１１２ｂ）から突出する。
【０１０５】
貫通電極１２０は、第１の電極１２２及び第２の電極１２４を含む。
第１の電極１２２は、ボンディングパッド１１４及び半導体チップ本体１１２を貫通する。第１の電極１２２はリセス部１２１を有し、リセス部１２１を有する第１の電極１２２は、一側端部が閉じ、一側端部に対向する他側端部が開口されたパイプ状を有する。第１の電極１２２の一部はボンディングパッド１１４と電気的に直接接続される。
【０１０６】
第２の電極１２４は、第１の電極１２２のリセス部１２１内に配置される。
第１の電極１２２は、例えば第１の硬度を有する第１の金属を含むことができ、第２の電極１２４は、第１の電極１２２の第１の硬度よりも相対的に低い第２の硬度を有する第２の金属を含むことができる。第１の電極１２２として使用できる物質の例としては、銅、アルミニウム、アルミニウム合金及び金属合金などを挙げることができる。第２の電極１２４として使用できる物質の例としては、鉛を含むソルダなどを挙げることができる。
【０１０７】
これとは違って、第１の電極１２２は、例えば第１の溶融点を有する第１の金属を含むことができ、第２の電極１２４は、第１の電極１２２の第１の溶融点よりも相対的に低い第２の溶融点を有する第２の金属を含むことができる。第１の電極１２２として使用できる物質の例としては、銅、アルミニウム、アルミニウム合金及び金属合金などを挙げることができる。第２の電極１２４として使用できる物質の例としては、鉛を含むソルダなどを挙げることができる。
【０１０８】
一方、第１の電極１２２の開口された端部は、リセス部１２１の嵩を拡張するための第１の拡張部（１２２ａ）を有し、第２の電極１２４は、第１の拡張部（１２２ａ）に対応して面積が増加する第２の拡張部（１２４ａ）を有する。
【０１０９】
絶縁膜１３０は、半導体チップ本体１１２の第１の面（１１２ａ）を覆って、半導体チップ本体１１２の第１の面（１１２ａ）から露出された貫通電極１２０の第１の電極１２２及び第２の電極１２４を覆う。絶縁膜１３０は、例えば有機膜でありうる。絶縁膜１３０の厚さは、半導体チップ本体１１２の第２の面（１１２ｂ）から突出した貫通電極１２０の突出した長さよりも薄く形成される。
【０１１０】
図１０は、図９に示した絶縁膜に形成された開口を示す断面図である。
図１０を参照すれば、半導体チップ本体１１２の第１の面（１１２ａ）を覆う絶縁膜１３０は、貫通電極１２０の第２の電極１２４を露出する開口１３２を有する。本実施形態では、絶縁膜１３０の開口１３２は、選択的に貫通電極１２０の第２の電極１２４を露出できる。これとは違って、絶縁膜１３０の開口１３２は、第２の電極１２４だけでなく、第１の電極１２２も一緒に露出することができる。
【０１１１】
図１１は、図１に示した貫通電極を有する積層半導体パッケージを示す断面図である。
図１１を参照すれば、積層半導体パッケージ１９９は、下部半導体パッケージ１８０、上部半導体パッケージ１９０及び基板１５０を含む。これに加えて、積層半導体パッケージ１９９は、ダミーチップサポート部材１５７を含むことができる。
【０１１２】
下部半導体パッケージ１８０は、下部半導体チップ本体１８１及びボンディングパッド１８２を含む。
【０１１３】
下部半導体チップ本体１８１は、データを貯蔵するためのデータ貯蔵部（図示せず）、及びデータを処理するデータ処理部（図示せず）を有する回路部（図示せず）を含む。
【０１１４】
下部半導体チップ本体１８１の上面にはボンディングパッド１８２が配置される。本実施形態では、複数のボンディングパッド１８２は下部半導体チップ本体１８１の上面の中央部に配置され、回路部はボンディングパッド１８２の両側に配置される。
【０１１５】
ボンディングパッド１８２は、下部半導体チップ本体１８１の回路部のデータ貯蔵部及び／又はデータ処理部と電気的に接続される。
【０１１６】
下部貫通電極１８５は、ボンディングパッド１８２、及びボンディングパッド１８２と対応する下部半導体チップ本体１８１を貫通する。ボンディングパッド１８２及び下部半導体チップ本体１８１を貫通する下部貫通電極１８５は、ボンディングパッド１８２と直接電気的に連結され、下部貫通電極１８５の端部は下部半導体チップ本体１８１の下面から突出する。
【０１１７】
下部貫通電極１８５は、第１の電極１８４及び第２の電極１８６を含む。
【０１１８】
第１の電極１８４は、ボンディングパッド１８２及び下部半導体チップ本体１８１を貫通する。第１の電極１８４はリセス部を有し、第１の電極１８４の一部はボンディングパッド１８２を覆う。
【０１１９】
第２の電極１８６は、第１の電極１８４のリセス部内に配置される。
第１の電極１８４は、例えば第１の硬度を有する第１の金属を含むことができ、第２の電極１８６は、第１の電極１８４の第１の硬度よりも相対的に低い第２の硬度を有する第２の金属を含むことができる。
【０１２０】
第１の電極１８４として使用できる物質の例としては、銅、アルミニウム、アルミニウム合金及び金属合金などを挙げることができる。第２の電極１８６として使用できる物質の例としては、鉛を含むソルダなどを挙げることができる。
【０１２１】
これとは違って、第１の電極１８４は、例えば第１の溶融点を有する第１の金属を含むことができ、第２の電極１８６は、第１の電極１８４の第１の溶融点よりも相対的に低い第２の溶融点を有する第２の金属を含むことができる。
【０１２２】
第１の電極１８４として使用できる物質の例としては、銅、アルミニウム、アルミニウム合金及び金属合金などを挙げることができる。第２の電極１８６として使用できる物質の例としては、鉛を含むソルダなどを挙げることができる。
【０１２３】
下部半導体パッケージ１８０の下部半導体チップ本体１８１の上面には、上面を覆う絶縁膜１８７が配置される。
【０１２４】
上部半導体パッケージ１９０は、下部半導体パッケージ１８０の上に配置される。
上部半導体パッケージ１９０は、上部半導体チップ本体１９１及びボンディングパッド１９２を含む。
【０１２５】
上部半導体チップ本体１９１は、データを貯蔵するためのデータ貯蔵部（図示せず）、及びデータを処理するデータ処理部（図示せず）を有する回路部（図示せず）を含む。上部半導体チップ本体１９１の上面にはボンディングパッド１９２が配置される。本実施形態では、複数のボンディングパッド１９２は、上部半導体チップ本体１９１の上面の中央部に配置される。上部半導体チップ本体１９１のボンディングパッド１９２は、下部半導体チップ本体１８１のボンディングパッド１９２と対応する位置に配置される。
【０１２６】
上部半導体チップ本体１９１のボンディングパッド１９２は、回路部のデータ貯蔵部及び／又はデータ処理部と電気的に接続される。
【０１２７】
上部貫通電極１９５は、ボンディングパッド１９２、及びボンディングパッド１９２と対応する上部半導体チップ本体１９１を貫通する。上部貫通電極１９５は、ボンディングパッド１９２と直接電気的に連結され、上部貫通電極１９５の端部は、上部半導体チップ本体１９１の下面から突出する。上部貫通電極１９５は、絶縁膜１８７を貫通して下部貫通電極１８５と電気的に連結される。
【０１２８】
上部貫通電極１９５は、第１の電極１９４及び第２の電極１９６を含む。
第１の電極１９４は、ボンディングパッド１９２、及び上部半導体チップ本体１９１を貫通する。第１の電極１９４はリセス部を有し、リセス部を有する第１の電極１９４はパイプ状を有する。第１の電極１９４の一部はボンディングパッド１９２を覆う。
【０１２９】
第２の電極１９６は、第１の電極１９４のリセス部内に配置される。
第１の電極１９４は、例えば第１の硬度を有する第１の金属を含むことができ、第２の電極１９６は、第１の電極１９４の第１の硬度よりも相対的に低い第２の硬度を有する第２の金属を含むことができる。
【０１３０】
第１の電極１９４として使用できる物質の例としては、銅、アルミニウム、アルミニウム合金及び金属合金などを挙げることができる。第２の電極１９６として使用できる物質の例としては、鉛を含むソルダなどを挙げることができる。
【０１３１】
これとは違って、第１の電極１９４は、例えば第１の溶融点を有する第１の金属を含むことができ、第２の電極１９６は、第１の電極１９４の第１の溶融点よりも相対的に低い第２の溶融点を有する第２の金属を含むことができる。
【０１３２】
第１の電極１９４として使用できる物質の例としては、銅、アルミニウム、アルミニウム合金及び金属合金などを挙げることができる。第２の電極１９６として使用できる物質の例としては、鉛を含むソルダなどを挙げることができる。
【０１３３】
上部半導体パッケージ１９０の上部半導体チップ本体１９１の上面には、上面を覆う絶縁膜１９７が配置される。
【０１３４】
上部半導体パッケージ１９０の上部貫通電極１９５の第１の電極１９４は、下部半導体パッケージ１８０の上面に配置された絶縁膜１８７を貫通して、下部半導体パッケージ１８０の下部貫通電極１８５の第２の電極１８６と電気的に接続され、この時絶縁膜１８７によって、上部半導体パッケージ１９０及び下部半導体パッケージ１８０の間にギャップを形成することなく、上部及び下部半導体パッケージ１８０、１９０は積層される。
【０１３５】
基板１５０は、下部半導体パッケージ１８０と電気的に接続される。基板１５０は、基板本体１５１、基板本体１５１の上面に配置された接続パッド１５２、接続パッド１５２上に配置されたソルダ層１５３、基板本体１５１の上面に対向する下面に配置されたボールランド１５４、及びボールランド１５４に配置されたソルダボール１５５を含む。
【０１３６】
接続パッド１５２は、下部半導体パッケージ１８０の下部半導体チップ本体１８１の後面から突出した下部貫通電極１８５の第１の電極１８４と、電気的に接続される。下部貫通電極１８５の第１の電極１８４は、接続パッド１５２上に配置されたソルダ層１５３と電気的に接続される。
【０１３７】
ダミーチップサポート部材１５７は、下部半導体パッケージ１８０及び基板１５０の間に介在する。ダミーチップサポート部材１５７は、例えば下部半導体パッケージ１８０のエッジに沿って複数が配置できる。ダミーチップサポート部材１５７は、例えばダミーソルダボール、ダミーバンプ、及び閉ループ状を有するダミーサポート部材でありうる。ダミーチップサポート部材１５７は、下部半導体パッケージ１８０及び基板１５０の間に介在して、下部半導体パッケージ１８０を安定的にサポートする。
【０１３８】
一方、基板１５０及び下部半導体パッケージ１８０の間に空間が形成されることを防止するために、基板１５０及び下部半導体パッケージ１８０の間にはアンダーフィル部材１５６が配置できる。
【０１３９】
図１２は、本発明の一実施形態による半導体パッケージを示す平面図である。図１３は図１２のＩＶ−ＩＶ´線に沿って切断した断面図である。
【０１４０】
図１２及び図１３を参照すれば、半導体パッケージ２００は、半導体チップ２１０、貫通電極２２０及び再配線２３０を含む。
【０１４１】
半導体チップ２１０は、半導体チップ本体２１２及びボンディングパッド２１４を含む。これに加えて、半導体チップ２１０は、ボンディングパッド２１４を露出する開口を有する保護膜パターン２１５を含むことができる。
【０１４２】
半導体チップ本体２１２は回路部２１１を含む。回路部２１１は、例えばデータを貯蔵するためのデータ貯蔵部（図示せず）、及びデータを処理するデータ処理部（図示せず）を含む。
【０１４３】
回路部２１１を有する半導体チップ本体２１２は、例えば直六面体状を有する。
半導体チップ本体２１２は、第１の面（２１２ａ）、及び第１の面（２１２ａ）に対向する第２の面（２１２ｂ）を有する。
【０１４４】
ボンディングパッド２１４は、例えば半導体チップ本体２１２の第１の面（２１２ａ）上に配置される。本実施形態では、複数のボンディングパッド２１４は第１の面（２１２ａ）の中央部に配置される。
【０１４５】
ボンディングパッド２１４は、半導体チップ本体２１２の回路部２１１のデータ貯蔵部及び／又はデータ処理部と、電気的に接続される。
【０１４６】
貫通電極２２０は、半導体チップ２１０の半導体チップ本体２１２を貫通する。半導体チップ本体２１２を貫通する貫通電極２２０は、例えばボンディングパッド２１４と離隔された半導体チップ本体２１２のエッジを貫通する。貫通電極２２０の端部は、半導体チップ本体２１２の第２の面（２１２ｂ）から突出する。
【０１４７】
貫通電極２２０は、第１の電極２２２及び第２の電極２２４を含む。これに加えて、貫通電極２２０は、第１の電極２２２の表面に配置されたシード金属層（図示せず）を更に含むことができる。シード金属層は、第１の電極２２２を鍍金方法で形成するとき、第１の電極２２２の表面に選択的に形成できる。
【０１４８】
第１の電極２２２は、半導体チップ本体２１２を貫通する。第１の電極２２２はリセス部２２１を有し、リセス部２２１を有する第１の電極２２２は、一側端部が開口されたパイプ状を有する。
【０１４９】
第２の電極２２４は、第１の電極２２２のリセス部２２１内に配置される。
第１の電極２２２は、例えば第１の硬度を有する第１の金属を含むことができ、第２の電極２２４は、第１の電極２２２の第１の硬度よりも相対的に低い第２の硬度を有する第２の金属を含むことができる。
【０１５０】
第１の電極２２２として使用できる物質の例としては、銅、アルミニウム、アルミニウム合金及び金属合金などを挙げることができる。第２の電極２２４として使用できる物質の例としては、鉛を含むソルダなどを挙げることができる。
【０１５１】
これとは違って、第１の電極２２２は、例えば第１の溶融点を有する第１の金属を含むことができ、第２の電極２２４は、第１の電極２２２の第１の溶融点よりも相対的に低い第２の溶融点を有する第２の金属を含むことができる。
【０１５２】
第１の電極２２２として使用できる物質の例としては、銅、アルミニウム、アルミニウム合金及び金属合金などを挙げることができる。第２の電極２２４として使用できる物質の例としては、鉛を含むソルダなどを挙げることができる。
【０１５３】
一方、第１の電極２２２の開口された端部は、リセス部２２１の嵩を拡張するための第１の拡張部（２２２ａ）を有し、第２の電極２２４は、第１の拡張部（２２２ａ）に対応して面積が増加する第２の拡張部（２２４ａ）を有する。
【０１５４】
再配線２３０は、半導体チップ本体２１２の第１の面（２１２ａ）上に配置される。再配線２３０は、半導体チップ本体２１２の中央部に配置されたボンディングパッド２１４、及び半導体チップ本体２１２のエッジに配置された貫通電極２２０を電気的に連結する。再配線パターン２３０は、平面上から見たとき、バー状を有する。
【０１５５】
本実施形態では、再配線２３０及び半導体チップ本体２１２の間には、シード金属パターン２３２が配置できる。シード金属パターン２３２は、再配線パターン２３０を鍍金方法によって形成するために、半導体チップ本体２１２及び再配線２３０の間に介在する。
【０１５６】
シード金属パターン２３２は、再配線２３０と同一の形状及び同一の大きさを有する。
再配線２３０として使用できる物質の例としては、銅、アルミニウム、金及び金属合金などを挙げることができる。
【０１５７】
再配線２３０及びボンディングパッド２１４の間には、連結パターン２３４が配置される。連結パターン２３４の上面は、保護膜パターン２１５の上面と実質的に同一な平面上に配置される。連結パターン２３４は、貫通電極２２０の第１の電極２２２と実質的に同一の物質を含む。
【０１５８】
再配線２３０は、貫通電極２２０の第２の電極２２４を選択的に露出する開口２３１を含むことができる。
【０１５９】
図１４は、図１３に示した半導体パッケージに絶縁膜が配置されたことを示す断面図である。
【０１６０】
図１４を参照すれば、半導体パッケージ１００の半導体チップ本体２１２の第１の面（２１２ａ）上には、全面にわたって絶縁膜２３７が配置されて、貫通電極２２０の端部及び再配線２３０は、絶縁膜２３７によって覆われる。本実施形態では、絶縁膜２３７は、例えば有機物を含む。
【０１６１】
図１５は、図１４に示した絶縁膜に形成された開口を示す断面図である。
図１５を参照すれば、半導体パッケージ１００の半導体チップ本体２１２の第１の面（２１２ａ）上には、貫通電極２２０の第２の電極２２４を選択的に露出する開口２３８を更に含むことができる。
【０１６２】
図１６は、本発明の一実施形態による半導体パッケージを示す断面図である。本発明の一実施形態による半導体パッケージは、ヒューズ及びヒューズ絶縁部材を除外すれば、前述の図１３を参照して説明した半導体パッケージと実質的に同一である。従って、同一の部分についての重複した説明は省略し、同一の部分については同一の参照符号及び名称を付与する。
【０１６３】
図１６を参照すれば、半導体パッケージ２００は、半導体チップ２１０及び貫通電極２２０を含む。
【０１６４】
半導体チップ２１０は、半導体チップ本体２１２、ボンディングパッド２１４、ヒューズ（２１９ａ）及びヒューズ絶縁部材（２１９ｂ）を含む。これに加えて、半導体チップ２１０は、ボンディングパッド２１４を露出する開口を有する保護膜パターン２１５を含むことができる。
【０１６５】
半導体チップ本体２１２は、例えば回路部（図示せず）を含む。回路部は、例えばデータを貯蔵するためのデータ貯蔵部（図示せず）、及びデータを処理するデータ処理部（図示せず）を含む。本実施形態では、複数の回路部は半導体チップ本体２１２のエッジ部分に配置される。
【０１６６】
回路部を有する半導体チップ本体２１２は、例えば直六面体状を有する。半導体チップ本体２１２は、第１の面（２１２ａ）、及び第１の面（２１２ａ）に対向する第２の面（２１２ｂ）を有する。
【０１６７】
ボンディングパッド２１４は、例えば半導体チップ本体２１２の第１の面（２１２ａ）のエッジ上に配置される。
【０１６８】
ボンディングパッド２１４は、半導体チップ本体２１２の回路部のデータ貯蔵部及び／又はデータ処理部と、電気的に接続される。
【０１６９】
ヒューズ（１１９ａ）は、ボンディングパッド２１４及び回路部２１１の間に配置される。複数のヒューズ（１１９ａ）は回路部をリペアする。ヒューズ絶縁部材（１１９ｂ）は、再配線２３０及びヒューズ（１１９ａ）が電気的にショートされることを防止する。ヒューズ絶縁部材（１１９ｂ）は、例えば有機物を含むことができる。ヒューズ絶縁部材（１１９ｂ）は、ヒューズ（１１９ａ）と対応する所に選択的に形成できる。ヒューズ絶縁部材（１１９ｂ）の上面は、例えば保護膜パターン２１５と実質的に同一の平面上に配置できる。
【０１７０】
図１７は、本発明の実施形態による半導体パッケージを示す断面図である。
図１７を参照すれば、半導体パッケージ２００は、下部半導体パッケージ２８０、上部半導体パッケージ２９０、及び基板３００を含む。これに加えて、半導体パッケージ２００は、ダミーチップサポート部材３５７を更に含むことができる。
【０１７１】
下部半導体パッケージ２８０は、下部半導体チップ本体２８１及びボンディングパッド２８２を含む。
【０１７２】
下部半導体チップ本体２８１は、データを貯蔵するためのデータ貯蔵部（図示せず）、及びデータを処理するデータ処理部（図示せず）を有する回路部（図示せず）を含む。
【０１７３】
下部半導体チップ本体２８１の上面には、ボンディングパッド２８２が配置される。本実施形態では、複数のボンディングパッド２８２は下部半導体チップ本体２８１の上面の中央部に配置される。
【０１７４】
ボンディングパッド２８２は、下部半導体チップ本体２８１の回路部のデータ貯蔵部及び／又はデータ処理部と、電気的に接続される。
【０１７５】
下部貫通電極２８５は、ボンディングパッド２８２と離隔された下部半導体チップ本体２８１のエッジを貫通する。下部半導体チップ本体２８１のエッジを貫通する下部貫通電極２８５の端部は、下部半導体チップ本体２８１の下面から突出する。
下部貫通電極２８５は、第１の電極２８４及び第２の電極２８６を含む。
【０１７６】
第１の電極２８４は、下部半導体チップ本体２８１を貫通する。第１の電極２８４はリセス部を有し、リセス部を有する第１の電極２８４はパイプ状を有する。
【０１７７】
第２の電極２８６は、第１の電極２８４のリセス部内に配置される。
第１の電極２８４は、例えば第１の硬度を有する第１の金属を含むことができ、第２の電極２８６は、第１の電極２８４の第１の硬度よりも相対的に低い第２の硬度を有する第２の金属を含むことができる。
【０１７８】
第１の電極２８４として使用できる物質の例としては、銅、アルミニウム、アルミニウム合金及び金属合金などを挙げることができる。第２の電極２８６として使用できる物質の例としては、鉛を含むソルダなどを挙げることができる。
【０１７９】
これとは違って、第１の電極２８４は、例えば第１の溶融点を有する第１の金属を含むことができ、第２の電極２８６は、第１の電極２８４の第１の溶融点よりも相対的に低い第２の溶融点を有する第２の金属を含むことができる。
【０１８０】
第１の電極２８４として使用できる物質の例としては、銅、アルミニウム、アルミニウム合金及び金属合金などを挙げることができる。第２の電極２８６として使用できる物質の例としては、鉛を含むソルダなどを挙げることができる。
【０１８１】
再配線２８８は、下部半導体チップ本体２８１の中央部に配置されたボンディングパッド２８２、及び下部半導体チップ本体２８１のエッジに配置された貫通電極２８５を電気的に連結する。再配線２８８は、貫通電極２８５の第２の電極２８６を露出する開口を有する。
【０１８２】
下部半導体パッケージ２８０の下部半導体チップ本体２８１の上面には、上面を覆う絶縁膜２８７が配置される。
【０１８３】
上部半導体パッケージ２９０は、下部半導体パッケージ２８０の上に配置される。
上部半導体パッケージ２９０は、上部半導体チップ本体２９１及びボンディングパッド２９２を含む。
【０１８４】
上部半導体チップ本体２９１は、データを貯蔵するためのデータ貯蔵部（図示せず）、及びデータを処理するデータ処理部（図示せず）を有する回路部（図示せず）を含む。
【０１８５】
上部半導体チップ本体２９１の上面には、ボンディングパッド２９２が配置される。本実施形態では、複数のボンディングパッド２９２は上部半導体チップ本体２９１の上面の中央部に配置される。上部半導体チップ本体２９１のボンディングパッド２９２は、下部半導体チップ本体２８１のボンディングパッド２８２と対応する位置に配置される。
【０１８６】
ボンディングパッド２９２は、上部半導体チップ本体２９１の回路部のデータ貯蔵部及び／又はデータ処理部と、電気的に接続される。
【０１８７】
上部貫通電極２９５は、上部半導体チップ本体２９１のエッジを貫通する。上部半導体チップ本体２９１のエッジを貫通する上部貫通電極２９５は、上部半導体チップ本体２９１の下面から突出する。上部貫通電極２９５は、下部貫通電極２８５と電気的に接続される。
上部貫通電極２９５は、第１の電極２９４及び第２の電極２９６を含む。
【０１８８】
第１の電極２９４は、上部半導体チップ本体２９１を貫通する。第１の電極２９４はリセス部を有し、リセス部を有する第１の電極２９４はパイプ状を有する。
【０１８９】
第２の電極２９６は、第１の電極２９４のリセス部内に配置される。
第１の電極２９４は、例えば第１の硬度を有する第１の金属を含むことができ、第２の電極２９６は、第１の電極２９４の第１の硬度よりも相対的に低い第２の硬度を有する第２の金属を含むことができる。
【０１９０】
第１の電極２９４として使用できる物質の例としては、銅、アルミニウム、アルミニウム合金及び金属合金などを挙げることができる。第２の電極２９６として使用できる物質の例としては、鉛を含むソルダなどを挙げることができる。
【０１９１】
これとは違って、第１の電極２９４は、例えば第１の溶融点を有する第１の金属を含むことができ、第２の電極２９６は、第１の電極２９４の第１の溶融点よりも相対的に低い第２の溶融点を有する第２の金属を含むことができる。
【０１９２】
第１の電極２９４として使用できる物質の例としては、銅、アルミニウム、アルミニウム合金及び金属合金などを挙げることができる。第２の電極２９６として使用できる物質の例としては、鉛を含むソルダなどを挙げることができる。
【０１９３】
上部半導体パッケージ２９０の上部半導体チップ本体２９１の上面には、上面を覆う絶縁膜２９７が配置される。
【０１９４】
上部半導体パッケージ２９０の上部貫通電極２９５の第１の電極２９４は、下部半導体パッケージ２８０の上面に配置された絶縁膜２８７を貫通して、下部半導体パッケージ２８０の下部貫通電極２８５の第２の電極２８６と電気的に接続され、この時絶縁膜２８７によって、上部半導体パッケージ２９０及び下部半導体パッケージ２８０の間にギャップを形成することなく、上部及び下部半導体パッケージ２８０、２９０は積層される。
【０１９５】
基板３００は、下部半導体パッケージ２８０と電気的に接続される。基板３００は、基板本体３５１、基板本体３５１の上面に配置された接続パッド３５２、接続パッド３５２上に配置されたソルダ層３５３、基板本体３５１の上面に対向する下面に配置されたボールランド３５４、及びボールランド３５４に配置されたソルダボール３５５を含む。
【０１９６】
接続パッド３５２は、下部半導体パッケージ２８０の下部半導体チップ本体２８１の後面から突出した下部貫通電極２８５の第１の電極２８４と、電気的に接続される。下部貫通電極２８５の第１の電極２８４は、接続パッド３５２上に配置されたソルダ層３５３と電気的に接続される。
【０１９７】
ダミーチップサポート部材３５７は、下部半導体パッケージ２８０及び基板３５０の間に介在する。ダミーチップサポート部材３５７は、例えば下部半導体パッケージ２８０の中央部に複数が配置できる。ダミーチップサポート部材３５７は、例えばダミーソルダボール、ダミーバンプ、及び閉ループ状を有するダミーサポート部材でありうる。ダミーチップサポート部材３５７は、下部半導体パッケージ２８０及び基板３００の間に介在して、下部半導体パッケージ２８０を安定的にサポートする。
【０１９８】
一方、基板３００及び下部半導体パッケージ２８０の間に空間が形成されることを防止するために、基板３００及び下部半導体パッケージ２８０の間にはアンダーフィル部材３５６が配置できる。
【０１９９】
以上、ここでは本発明を特定実施形態に関連して示して説明したが、本発明はそれに限定されるものではなく、本発明の特許請求の範囲に記載した本発明の精神と分野を離脱しない限度内で本発明が多様に改造及び変形できるということを、当業者は容易に理解することができる。
【図面の簡単な説明】
【０２００】
【図１】本発明の一実施形態による半導体パッケージ用貫通電極を示す断面図である。
【図２】図１に示した貫通電極を有する半導体パッケージを示す平面図である。
【図３】図２のＩ−Ｉ´線に沿って切断した断面図である。
【図４】本発明の一実施形態による半導体パッケージを示す平面図である。
【図５】図４のＩＩ−ＩＩ´線に沿って切断した断面図である。
【図６】本発明の一実施形態による半導体パッケージを示す平面図である。
【図７】図６のＩＩＩ−ＩＩＩ´線に沿って切断した断面図である。
【図８】図７の‘Ａ’部分拡大図である。
【図９】本発明の一実施形態による半導体パッケージを示す断面図である。
【図１０】図９に示した絶縁膜に形成された開口を示す断面図である。
【図１１】図１に示した貫通電極を有する積層半導体パッケージを示す断面図である。
【図１２】本発明の一実施形態による半導体パッケージを示す平面図である。
【図１３】図１２のＩＶ−ＩＶ´線に沿って切断した断面図である。
【図１４】図１３に示した半導体パッケージに絶縁膜が配置されたことを示す断面図である。
【図１５】図１４に示した絶縁膜に形成された開口を示す断面図である。
【図１６】本発明の一実施形態による半導体パッケージを示す断面図である。
【図１７】本発明の一実施形態による半導体パッケージを示す断面図である。
【符号の説明】
【０２０１】
１    半導体チップ
１０    貫通電極
１１    第１の電極
１１ａ  第１の拡張部
１２    リセス部
１４    第２の電極
１４ａ  第２の拡張部
【図１】
2009049349.tif 000003
【図２】
2009049349.tif 000004
【図３】
2009049349.tif 000005
【図４】
2009049349.tif 000006
【図５】
2009049349.tif 000007
【図６】
2009049349.tif 000008
【図７】
2009049349.tif 000009
【図８】
2009049349.tif 000010
【図９】
2009049349.tif 000011
【図１０】
2009049349.tif 000012
【図１１】
2009049349.tif 000013
【図１２】
2009049349.tif 000014
【図１３】
2009049349.tif 000015
【図１４】
2009049349.tif 000016
【図１５】
2009049349.tif 000017
【図１６】
2009049349.tif 000018
【図１７】
2009049349.tif 000019